(57)【特許請求の範囲】
【請求項１】
表示対象の入力信号を入力するための信号入力チャネルを複数有し、前記入力信号に基づく信号波形を表示部に表示可能に構成されると共に、前記信号波形の振幅方向に対する表示レンジを前記各信号入力チャネル毎に個別的に設定可能に構成され、かつ、予め規定された所定数の信号入力チャネルについての表示上限値および表示下限値を前記表示部に表示する波形表示装置において、
前記表示上限値および前記表示下限値を表示する前記信号入力チャネルを２以上前記所定数以内で任意に選択可能に構成され、かつ、最新に選択された前記２以上所定数以内の前記各信号入力チャネルについての前記表示上限値および前記表示下限値を、その選択順に配列して表示することを特徴とする波形表示装置。
【請求項２】
前記信号波形を表示する信号波形表示画面と、前記表示上限値および前記表示下限値を表示する上下限値表示画面とを隣接させて前記表示部に表示することを特徴とする請求項１記載の波形表示装置。
【請求項３】
選択された前記信号入力チャネルについての表示中心値を前記表示部に表示することを特徴とする請求項１または２記載の波形表示装置。
【発明の詳細な説明】
【０００１】
【発明の属する技術分野】
本発明は、信号波形と共にその表示上限値および表示下限値を表示部に表示する波形表示装置に関するものである。
【０００２】
【従来の技術】
この種の波形表示装置として、図４に示す波形表示装置３１が従来から知られている。この波形表示装置３１は、信号入力チャネルｃｈ１〜ｃｈ８を介して最大８種類の波形表示対象信号を入力可能な測定部２と、信号波形表示用画面１０（図５，６参照）などを表示する表示部３と、波形表示装置３１の各種動作条件を設定するための複数のキーが配設された操作部３４と、操作部３４のキー操作に応じての各部の動作制御や表示部３の表示制御を実行する制御部３５と、制御部３５の演算結果を一時的に記憶するＲＡＭ６と、制御部３５の動作プログラムを記憶するＲＯＭ３７とを備え、測定部２に入力された入力信号に基づく信号波形を表示部３に表示可能に構成されている。この場合、この波形表示装置３１では、表示部３に信号波形を表示する表示レンジを各信号入力チャネルｃｈ１〜ｃｈ８毎に個別的に設定可能に構成されている。
【０００３】
信号波形の表示に際しては、まず、所定の操作によって信号波形表示用画面１０を表示部３に表示させる。この際に、信号波形表示用画面１０の右側表示部位（図５において余白部分）には、各信号入力チャネルｃｈ１〜ｃｈ８についてのそれぞれの測定モード情報や測定レンジ情報などが表示される。この状態で、例えば信号入力チャネルｃｈ１〜ｃｈ６に入力信号を入力した場合、図５に示すように、制御部５が、各信号入力チャネルｃｈ１〜ｃｈ６の入力信号に基づく信号波形Ｗ１〜Ｗ６を信号波形表示用画面１０に表示させる。この際に、この波形表示装置３１では、各信号入力チャネルｃｈ１〜ｃｈ８毎に予め設定した表示上限値および表示下限値のうち、信号入力チャネルｃｈ１〜ｃｈ４についての設定値群、および信号入力チャネルｃｈ５〜ｃｈ８についての設定値群のいずれか選択された一方を表示する。具体的には、表示部３に信号波形表示用画面１０を最初に表示した際には、信号入力チャネルｃｈ１〜ｃｈ４についての設定値群が初期選択チャネルとして表示され、各表示上限値を表す上限値表示部４２が信号波形表示用画面１０の左上隅に表示されると共に、各表示下限値を表す下限値表示部４３が信号波形表示用画面１０の左下隅に表示される。この際には、上限値表示部４２および下限値表示部４３に表示されている各設定値が信号入力チャネルｃｈ１〜ｃｈ４に対応する旨を示すチャネル表示部４５も信号波形表示用画面１０に表示される。
【０００４】
また、所定の操作によって信号入力チャネルｃｈ５〜ｃｈ８についての設定値群の表示を選択した場合、図６に示すように、信号入力チャネルｃｈ５〜ｃｈ８についての上限値表示部４２および下限値表示部４３が信号波形表示用画面１０に表示されると共に、上限値表示部４２および下限値表示部４３に表示されている各設定値が信号入力チャネルｃｈ５〜ｃｈ８に対応する旨を示すチャネル表示部４５が表示される。この場合、使用していない信号入力チャネルｃｈ７，８に対応する上限値表示部４２、下限値表示部４３およびチャネル表示部４５には、ハイフン文字がそれぞれ表示される。このように、この波形表示装置３１では、各信号入力チャネル毎に設定した表示上限値および表示下限値について、信号入力チャネルｃｈ１〜ｃｈ４のグループ、および信号入力チャネルｃｈ５〜ｃｈ８のグループのいずれか選択された一方についての設定値群が表示される。したがって、信号入力チャネルｃｈ１〜ｃｈ８のすべての設定値を同一表示画面に表示する場合と比較して、表示部３に一時に表示する数値情報の数を制限できるため、より大きなポイントの数値を表示でき、これにより、各信号入力チャネルについての各設定値の視認性を向上させることができる。
【０００５】
【発明が解決しようとする課題】
ところが、従来の波形表示装置３１には、以下の問題点がある。すなわち、従来の波形表示装置３１では、すべての信号入力チャネルｃｈ１〜ｃｈ８のうち、２つのグループのいずれか選択された一方についての設定値群を表示する。このため、例えば信号入力チャネルｃｈ１〜ｃｈ４についての設定値群が表示された状態で信号入力チャネルｃｈ５，６についての各設定値の表示を所望するときには、所定の切替操作によって信号入力チャネルｃｈ５，６を含むグループを選択しなければならず、しかも、信号入力チャネルｃｈ１〜ｃｈ４のグループ内のいずれかの信号入力チャネル、および信号入力チャネルｃｈ５〜ｃｈ８のグループ内のいずれかの信号入力チャネルにそれぞれ対応する表示上限値および表示下限値を同一表示画面に一時に表示させることができない。このため、例えば信号入力チャネルｃｈ１，２，５，６についての各設定値を対比したい場合、選択切替操作が煩雑で、しかも、同一表示画面上で対比できないため、極めて対比しにくいという問題点がある。また、図５，６に示すように、従来の波形表示装置３１では、各信号入力チャネルについての上限値表示部４２、下限値表示部４３およびチャネル表示部４５が信号波形Ｗ１〜Ｗ６と重なって表示されるため、設定値および信号波形の両者に対する視認性が低下しているという問題点もある。
【０００６】
本発明は、かかる問題点に鑑みてなされたものであり、表示を所望する信号入力チャネルについての表示上限値および表示下限値を同一画面に表示し得る波形表示装置を提供することを主目的とする。また、表示上限値、表示下限値および信号波形の視認性の向上を図ることが可能な波形表示装置を提供することを他の目的とする。
【０００７】
【課題を解決するための手段】
上記目的を達成すべく請求項１記載の波形表示装置は、表示対象の入力信号を入力するための信号入力チャネルを複数有し、入力信号に基づく信号波形を表示部に表示可能に構成されると共に、信号波形の振幅方向に対する表示レンジを各信号入力チャネル毎に個別的に設定可能に構成され、かつ、予め規定された所定数の信号入力チャネルについての表示上限値および表示下限値を表示部に表示する波形表示装置において、表示上限値および表示下限値を表示する信号入力チャネルを２以上所定数以内で任意に選択可能に構成され、かつ、最新に選択された２以上所定数以内の各信号入力チャネルについての表示上限値および表示下限値を、その選択順に配列して表示することを特徴とする。
【０００９】
請求項２記載の波形表示装置は、請求項１記載の波形表示装置において、信号波形を表示する信号波形表示画面と、表示上限値および表示下限値を表示する上下限値表示画面とを隣接させて表示部に表示することを特徴とする。
【００１０】
請求項３記載の波形表示装置は、請求項１または２記載の波形表示装置において、選択された信号入力チャネルについての表示中心値を表示部に表示することを特徴とする。
【００１１】
【発明の実施の形態】
以下、添付図面を参照して、本発明に係る波形表示装置の実施の形態について説明する。なお、従来の波形表示装置３１と同一の構成要素については、同一の符号を付して重複した説明を省略する。
【００１２】
最初に、波形表示装置１の構成について、図４を参照して説明する。
【００１３】
同図に示すように、波形表示装置１は、測定部２、表示部３、操作部４、制御部５、ＲＡＭ６およびＲＯＭ７を備えて構成されている。測定部２は、例えば８つの信号入力チャネルｃｈ１〜ｃｈ８を有し、各信号入力チャネル毎に入力した入力信号をそれぞれアナログ−ディジタル変換して制御部５に出力する。表示部３は、入力信号に基づく信号波形を表示するための信号波形表示用画面１０や、後述する上限値表示部１２、下限値表示部１３、中心値表示部１４およびチャネル表示部１５などを表示する。操作部４は、各表示部１２〜１４に設定値を表示させる信号入力チャネルを選択可能なチャネルキーや、波形表示装置１の各種動作条件を設定するための複数のキーが配設されている。制御部５は、測定部２の動作制御および表示部３の表示制御などを実行する。ＲＡＭ６は、制御部５の演算結果を一時的に記憶し、ＲＯＭ７は制御部５の動作プログラムを記憶する。この場合、この波形表示装置１では、従来の波形表示装置３１と同様にして、信号波形の表示部３への表示レンジとして表示上限値および表示下限値を各信号入力チャネル毎に個別的に設定することができるように構成されている。
【００１４】
次に、波形表示装置１の使用方法について、各図を参照して説明する。
【００１５】
信号波形の表示に際しては、まず、所定の操作によって信号波形表示用画面１０を表示部３に表示させる。この際に、信号波形表示用画面１０の右隣りには、信号入力チャネルｃｈ１〜ｃｈ８についての測定モード情報や測定レンジ情報などが表示される。この状態で、例えば信号入力チャネルｃｈ１〜ｃｈ６に波形表示対象の入力信号をそれぞれ入力すると、測定部２が、各入力信号をアナログ−ディジタル変換して波形データを制御部５に出力する。次いで、制御部５が、各信号入力チャネルｃｈ１〜ｃｈ６の波形データに対応する各信号波形Ｗ１〜Ｗ６を信号波形表示用画面１０に表示させる。次に、所定の操作を行うことにより、図１に示すように、信号波形表示用画面１０の右隣りに本発明における上下限値表示画面に相当する数値表示用画面１１を表示させる。この場合、数値表示用画面１１には、各信号入力チャネルｃｈ１〜ｃｈ８毎に予めそれぞれ設定した各表示上限値および各表示下限値のうち、最新に選択された４チャネル分の信号入力チャネルにそれぞれ対応する各設定値が表示される。
【００１６】
具体的には、最初の電源投入時点では、信号入力チャネルｃｈ１〜ｃｈ４が順に選択されたものとみなして、信号入力チャネルｃｈ１〜ｃｈ４についての各表示上限値を表す上限値表示部１２、各表示下限値を表す下限値表示部１３、および各表示中心値を示す中心値表示部１４が、数値表示用画面１１の最上段、最下段および中央部位にそれぞれ表示される。この場合、表示上限値とは、設定された表示レンジに応じて変化する信号波形表示用画面１０における最上段目盛りに対応する値（例えば電圧値や電流値）を示し、表示下限値とは、信号波形表示用画面１０における最下段目盛りに対応する値を示し、表示中心値とは、信号波形表示用画面１０における中央目盛りに対応する値を示す。また、この際には、各表示部１２〜１４に表示されている各設定値にそれぞれ対応する信号入力チャネルｃｈ１〜ｃｈ４のチャネル番号を示すチャネル表示部１５が数値表示用画面１１の中央やや下寄りに表示される。この場合、各表示部１２〜１４には、最新に選択された４つの信号入力チャネルについての各設定値が選択順（この例では信号入力チャネルｃｈ１〜ｃｈ４の順）に例えば下段から上段に向けて配列した状態で表示される。また、同様にして、チャネル表示部１５にも、選択順に下段から上段に向けて配列したチャネル番号が表示される。したがって、オペレータは、表示された各設定値に対応する信号入力チャネルのチャネル番号を違和感なく容易に把握することができる。
【００１７】
次いで、操作部４のチャネルキーを操作して信号入力チャネルｃｈ５を選択した場合、最新に選択された信号入力チャネルは、信号入力チャネルｃｈ２〜ｃｈ５となる。したがって、制御部５は、図２に示すように、最も先に選択された信号入力チャネルｃｈ１についての表示上限値、表示下限値、表示中心値およびチャネル番号を信号波形表示用画面１０から消去すると共に、信号入力チャネルｃｈ２〜ｃｈ５についての各設定値を選択順に下段から上段に向けて配列した状態で各表示部１１〜１３に表示させ、かつ、チャネル表示部１５にも、選択順に下段から上段に向けて信号入力チャネル番号（ｃｈ２〜ｃｈ５）を配列して表示させる。
【００１８】
一方、操作部４のチャネルキーを操作して信号入力チャネルｃｈ１，ｃｈ２，ｃｈ５，ｃｈ６を順に選択した場合、制御部５は、図３に示すように、選択した各信号入力チャネルについての各設定値を各表示部１２〜１４にそれぞれ表示させると共に、信号入力チャネル番号（ｃｈ１，ｃｈ２，ｃｈ５，ｃｈ６）を選択順に下段から上段に向けて配列してチャネル表示部１５に表示させる。
【００１９】
このように、この波形表示装置１では、表示上限値、表示下限値および表示中心値を表示させる際に、任意に組み合わせた４つの信号入力チャネルを選択することができるため、煩雑な切替操作を必要とせず、オペレータにとって表示が最も必要とされる信号入力チャネルについての各設定値を同一表示画面に自動的かつ一時に表示させることができる。したがって、オペレータは、各信号入力チャネル毎の各設定値を迅速かつ容易に対比することができる。また、各表示部１２〜１５を信号波形表示用画面１０の右隣の数値表示用画面１１に表示することにより、各設定値の情報と信号波形Ｗ１〜Ｗ６との重なり合いを避けることができるため、各設定値および信号波形の両者に対する視認性を向上させることができる。
【００２０】
なお、本発明は、上記した本発明の実施の形態に示した構成に限定されない。例えば、本発明の実施の形態では、信号入力チャネルｃｈ１〜ｃｈ８の信号入力チャネルのうち、４チャネル分の各設定値を表示する例について説明したが、表示させる信号入力チャネル数は、表示部３の表示画面の大きさに応じて適宜変更することができる。
【００２１】
【発明の効果】
以上のように、請求項１記載の波形表示装置によれば、表示上限値および表示下限値を表示する信号入力チャネルを２以上所定数以内で任意に選択可能に構成したことにより、オペレータにとって表示を最も必要とする信号入力チャネルについての各設定値が同一表示画面に自動的に表示されるため、オペレータは、各信号入力チャネル毎の各設定値を迅速かつ容易に対比することができる。
【００２２】
また、この波形表示装置によれば、最新に選択された２以上所定数以内の各信号入力チャネルについての表示上限値および表示下限値を、その選択順に配列して表示することにより、オペレータは、表示された各設定値に対応する信号入力チャネルのチャネル番号を違和感なく容易に把握することができる。
【００２３】
さらに、請求項２記載の波形表示装置によれば、信号波形表示画面と上下限値表示画面とを隣接させて表示部に表示することにより、各設定値および信号波形の重なり合いを避けることができるため、両者に対する視認性を向上させることができる。
【００２４】
また、請求項３記載の波形表示装置によれば、選択された信号入力チャネルについての表示中心値を表示部に表示することにより、オペレータは、表示された表示上限値および表示下限値に基づいて表示中心値を算出するのと比較して、正確かつ容易に表示中心値を把握することができる。
【図面の簡単な説明】
【図１】本発明の実施の形態に係る波形表示装置１の表示部３に信号波形表示用画面１０および数値表示用画面１１を表示させた状態の表示画面図である。
【図２】本発明の実施の形態に係る波形表示装置１の表示部３に信号波形表示用画面１０および数値表示用画面１１を表示させた状態の他の表示画面図である。
【図３】本発明の実施の形態に係る波形表示装置１の表示部３に信号波形表示用画面１０および数値表示用画面１１を表示させた状態のさらに他の表示画面図である。
【図４】本発明の実施の形態に係る波形表示装置１および従来の波形表示装置３１の構成を示すブロック図である。
【図５】従来の波形表示装置３１における表示部３に信号波形表示用画面１０および信号入力チャネルｃｈ１〜ｃｈ４についての各種表示部４２，４３，４５を表示させた状態の表示画面図である。
【図６】従来の波形表示装置３１における表示部３に信号波形表示用画面１０および各種表示部４２，４３，４５を表示させた状態の他の表示画面図である。
【符号の説明】
１  波形表示装置
３  表示部
５  制御部
１０  信号波形表示用画面
１１  数値表示用画面
１２  上限値表示部
１３  下限値表示部
１４  中心値表示部
１５  チャネル表示部
Ｗ１〜Ｗ６  信号波形
【図１】
0004387024.tif 000002
【図２】
0004387024.tif 000003
【図３】
0004387024.tif 000004
【図４】
0004387024.tif 000005
【図５】
0004387024.tif 000006
【図６】
0004387024.tif 000007